(57)【要約】【課題】接触信頼性の向上を図る。【解決手段】カードエッジコネクタは、ハーネス側ハウジング１０（ハウジング）と、ハーネス側ハウジング１０内に形成され、ハーネス側ハウジング１０の前方から回路基板６１を挿入させる基板収容空間３１と、ハーネス側ハウジング１０内に取り付けられた複数の端子金具５０と、端子金具５０に設けられ、基板収容空間３１に挿入された回路基板６１に対し、基板収容空間３１から退避する方向へ弾性撓みした状態で接触可能な弾性接触片５４と、基板収容空間３１内において弾性接触片５４を基板収容空間３１から退避する方向へ弾性撓みさせる第１位置から、第１位置よりも後方であって弾性接触片５４から解離する第２位置への変位が可能な可動部材４０とを備える。【選択図】図４
2014203634.tif 000002
【特許請求の範囲】
【請求項１】
ハウジングと、
前記ハウジング内に形成され、前記ハウジングの前方から回路基板を挿入させる基板収容空間と、
前記ハウジング内に取り付けられた複数の端子金具と、
前記端子金具に設けられ、前記基板収容空間に挿入された前記回路基板に対し、前記基板収容空間から退避する方向へ弾性撓みした状態で接触可能な弾性接触片と、
前記基板収容空間内において前記弾性接触片を前記基板収容空間から退避する方向へ弾性撓みさせる第１位置から、前記第１位置よりも後方であって前記弾性接触片から解離する第２位置への変位が可能な可動部材とを備えていることを特徴とするカードエッジコネクタ。
【請求項２】
前記弾性接触片が前記基板収容空間から退避する方向における前記可動部材の厚さ寸法が、前記回路基板の板厚寸法と同じ寸法か、それよりも大きい寸法に設定されていることを特徴とする請求項１記載のカードエッジコネクタ。
【発明の詳細な説明】
【技術分野】
【０００１】
本発明は、カードエッジコネクタに関するものである。
【背景技術】
【０００２】
特許文献１には、基板収容空間を有するハウジングと、ハウジング内に収容され基板収容空間を挟んで対向するように配置された複数の端子金具とを備えたカードエッジコネクタが開示されている。このカードエッジコネクタは、基板収容空間に挿入された回路基板に対し、複数の端子金具に設けた弾性接触片が弾性変形した状態で当接するようになっている。端子金具と回路基板との間では、弾性接触片の弾性的な当接作用によって所定の接触圧が確保される。また、弾性接触片が弾性変形することにより、ハウジング、端子金具、及び回路基板の寸法公差が吸収される。したがって、弾性接触片が弾性変形した状態で回路基板に当接する構造は、端子金具と回路基板との接触信頼性確保のために必要である。
【先行技術文献】
【特許文献】
【０００３】
【特許文献１】特開２０１０−１０８６２０号公報
【発明の概要】
【発明が解決しようとする課題】
【０００４】
しかし、弾性接触片が弾性変形した状態で回路基板に当接する構造においては、回路基板を基板収容空間に挿入する接続作業の過程で、回路基板の挿入方向先端の角縁部が、弾性接触片に突き当たったり、弾性接触片と強く擦れ合うことは避けられない。このような突き当たりや擦れ合いは、弾性接触片が不正な変形を生じたり、弾性接触片の接点部のメッキが剥がれたり、回路基板の角縁部の一部が削れてその削り屑が弾性接触片と回路基板との間に噛み込んだりする原因となり、ひいては、接触不良を起こす原因となる。
本発明は上記のような事情に基づいて完成されたものであって、接触信頼性の向上を図ることを目的とする。
【課題を解決するための手段】
【０００５】
本発明のカードエッジコネクタは、
ハウジングと、
前記ハウジング内に形成され、前記ハウジングの前方から回路基板を挿入させる基板収容空間と、
前記ハウジング内に取り付けられた複数の端子金具と、
前記端子金具に設けられ、前記基板収容空間に挿入された前記回路基板に対し、前記基板収容空間から退避する方向へ弾性撓みした状態で接触可能な弾性接触片と、
前記基板収容空間内において前記弾性接触片を前記基板収容空間から退避する方向へ弾性撓みさせる第１位置から、前記第１位置よりも後方であって前記弾性接触片から解離する第２位置への変位が可能な可動部材とを備えているところに特徴を有する。
【発明の効果】
【０００６】
回路基板を基板収容空間に挿入する前は、可動部材を第１位置に配置しておけば、弾性接触片は、可動部材への当接により、基板収容空間から退避する方向へ弾性撓みする。この状態で、基板収容空間に回路基板を挿入すると、可動部材が、回路基板により後方へ押し動かされて第２位置へ変位する。可動部材が回路基板に押し動かされる過程では、弾性接触片が、基板収容空間から退避する方向へ弾性撓みした状態のまま、可動部材から回路基板へ乗り移る。したがって、回路基板の挿入方向先端縁は、弾性接触片に突き当たったり、弾性接触片と強く擦れ合ったりする虞がない。これにより、弾性接触片の不正な変形や、端子金具の接点部のメッキ剥がれや、回路基板の削り屑の噛み込み等が防止されるので、端子金具と回路基板との間の接触信頼性が高い。また、回路基板を基板収容空間に挿入する際には、弾性接触片と回路基板との摺動摩擦を低減又は摺動摩擦の発生を回避できるので、作業性にも優れている。
【図面の簡単な説明】
【０００７】
【図１】実施例１のハーネス側ハウジングの側断面図
【図２】基板側ハウジングの側断面図
【図３】回路基板を基板収容空間に挿入する過程をあらわす側断面図
【図４】図３の部分拡大側断面図
【図５】基板収容空間に対する回路基板の挿入が完了した状態をあらわす側断面図
【図６】図５の部分拡大側断面図
【図７】可動部材が第１位置にある状態をあらわす平断面図
【図８】可動部材が第２位置にある状態をあらわす平断面図
【発明を実施するための形態】
【０００８】
本発明のカードエッジコネクタは、
前記弾性接触片が前記基板収容空間から退避する方向における前記可動部材の厚さ寸法が、前記回路基板の板厚寸法と同じ寸法か、それよりも大きい寸法に設定されていてもよい。
この構成によれば、弾性接触片が可動部材から回路基板に乗り移るときに、弾性接触片に対する回路基板の突き当たりを、確実に回避できる。
【０００９】
＜実施例１＞
以下、本発明を具体化した実施例１を図１〜図８を参照して説明する。本実施例のカードエッジコネクタは、図１に示すハーネス側コネクタＨと、図２に示す基板側コネクタＰとを備えて構成されている。基板側コネクタＰは、ハーネス側コネクタＨに対しその前方から嵌合される。以下の説明において、前方と後方の向きに関しては、ハーネス側コネクタＨを基準とする。つまり、図１〜８における左方を、前方と定義する。また、前後方向と両コネクタＨ，Ｐの嵌合方向は、同義で用いる。
【００１０】
＜ハーネス側コネクタＨ＞
ハーネス側コネクタＨは、ハーネス側ハウジング１０（請求項に記載のハウジング）と、複数の端子金具５０と、端子金具５０と同数の電線５３を備えて構成されている。ハーネス側ハウジング１０内には、複数の端子金具５０が、上下２段に分かれ、且つ各段において夫々左右方向（幅方向）に所定ピッチで並列配置された状態で収容されている。上段の端子金具５０と下段の端子金具５０は、上下対称な向きで対向している。各端子金具５０の後端部には電線５３が接続され、これらの電線５３は、ハーネス側ハウジング１０の後方へ導出されている。
【００１１】
＜ハーネス側ハウジング１０＞
図１，７に示すように、ハーネス側ハウジング１０は、ハウジング本体１１と、一括ゴム栓１８と、リヤホルダ２０と、端子保持部材２２と、シールリング２７と、可動部材４０とを備えており、これらの部品１１，１８，２０，２２，２７，４０を組み付けて構成されている。ハウジング本体１１の外形は、全体として、高さ寸法（上下寸法）が幅寸法及び前後寸法に比べて小さく設定された扁平な形状をなす。ハウジング本体１１は、本体部１２と、本体部１２の前端外周縁から前方へ片持ち状に突出した形態のフード部１３とを一体に形成して構成されている。
【００１２】
本体部１２の内部には、その前端面のほぼ全領域を凹ませた単一形態の前部空間１４と、後端面のほぼ全領域を凹ませた単一形態の後部空間１５が形成されている。本体部１２の前部空間１４は、フード部１３の内部空間と連通している。本体部１２のうち前部空間１４と後部空間１５との間には、両空間１４，１５を連通させた形態であって、上下２段に分かれた複数の後部キャビティ１６が、幅方向に所定ピッチで並列配置された状態で形成されている。また、本体部１２内には、前部空間１４の後端から斜め前方へ片持ち状に延出した弾性撓み可能なランス１７が形成されている。
【００１３】
後部空間１５内には、一括ゴム栓１８とリヤホルダ２０が収容されている。一括ゴム栓１８には、後部キャビティ１６と対応するように上下２段に分かれた複数のシール孔１９が、前後に貫通して形成されている。一括ゴム栓１８は、後部空間１５の内周面に液密状に密着してシールする。リヤホルダ２０は、一括ゴム栓１８の後方に配置された状態でハウジング本体１１に組み付けられ、一括ゴム栓１８の後方への離脱を規制する。リヤホルダ２０には、各シール孔１９と対応する複数の貫通孔２１が形成されている。
【００１４】
＜端子保持部材２２＞
端子保持部材２２は、全体として、高さ寸法（上下寸法）が幅寸法に比べて小さく設定された扁平な形状をなす。端子保持部材２２は、上下一対の支持壁部２３（図１を参照）と、上下両支持壁部２３の左右両端縁同士を連結する左右一対の側壁部２４（図７を参照）と、上下両支持壁部２３の前端縁同士を連結した形態であって側壁部２４の前端に連なる前壁部２５（図１を参照）とを有する単一部品である。これらの壁部２３，２４，２５は、いずれも、端子保持部材２２の外壁面を構成する。
【００１５】
端子保持部材２２は、前部空間１４内に収容されている。図１に示すように、端子保持部材２２の前端部外周にはフランジ部２６が形成され、このフランジ部２６には、ゴム製のシールリング２７の後端部が係止されている。この係止作用により、シールリング２７は、その外周をフード部１３の後端部内周に密着させ、端子保持部材２２よりも前方に配置された状態でハウジング本体１１に組み付けられる。
【００１６】
端子保持部材２２の内部には、上下両支持壁部２３の内面から、夫々、上下方向中央に向かってリブ状に突出する複数の仕切壁（図示省略）が形成されている。仕切壁は、前後方向に細長く、左右方向に並列配置されている。支持壁部２３と仕切壁とで区画された空間は、前部キャビティ２８となっている。上記支持壁部２３の内面と仕切壁の側面は、前部キャビティ２８に、直接臨んでいる。複数の前部キャビティ２８と複数の後部キャビティ１６は、夫々、１対１で前後に並ぶように対応配置されて端子収容室２９を構成する。ハウジング本体１１の本体部１２と端子保持部材２２は、複数の端子金具５０を並列配置して収容するための端子収容部３０を構成する。端子収容部３０内には、上下２段に分かれた複数の端子収容室２９が、幅方向に所定ピッチで並列配置されて形成されている。
【００１７】
図１に示すように、端子保持部材２２の内部には、単一の基板収容空間３１が形成されている。基板収容空間３１は、上段の前部キャビティ２８と下段の前部キャビティ２８との間の空間のうち前端側の領域に配され、上下寸法が左右方向に比べて小さく設定された横長スリット状をなしている。基板収容空間３１には、上段の前部キャビティ２８と下段の前部キャビティ２８が、直接、臨んでいる。前壁部２５には、左右方向に細長くスリット状に開口する基板挿入口３２が前後に貫通して形成されている。基板収容空間３１の前端は基板挿入口３２に連通している。
【００１８】
また、端子保持部材２２には、前部キャビティ２８に収容された端子金具５０の箱部５１の前端部を支えるための上下一対の受け板部３３が、形成されている。この一対の受け板部３３は、基板挿入口３２の開口縁のうち左右方向（基板挿入口３２の長さ方向）に沿った上下一対の長辺側開口縁４３（つまり、前壁部２５における基板収容空間３１に臨む端縁部）から、後方へ片持ち状に延出した形態である。受け板部３３の左右両端部は、左右両側壁部２４に連なっている。前部キャビティ２８内に端子金具５０の箱部５１が収容された状態では、箱部５１の前端部が受け板部３３により、基板収容空間３１側へ変位することを規制される。これにより、端子金具５０は、上下方向へ姿勢が傾かないように保持される。
【００１９】
端子保持部材２２の内部には、単一の退避空間３４が形成されている。退避空間３４は、上段の前部キャビティ２８と下段の前部キャビティ２８との間の空間のうち後端側の領域に配され、上下寸法が左右方向に比べて小さく設定された形態となっている。退避空間３４の前端は、基板収容空間３１の後端と直接、連なっている。図７，８に示すように、退避空間３４の左右両内側面における前端部には、一対の第１係止凹部３５が形成されている。退避空間３４の左右両内側面における後端部には、一対の第２係止凹部３６が形成されている。この退避空間３４と、基板収容空間３１のうち後端側領域においては、可動部材４０が前後方向に移動し得るようになっている。
【００２０】
＜可動部材４０＞
可動部材４０は、全体として上下寸法が左右方向に比べて小さく設定された平板状をなしている。可動部材４０の幅寸法は、退避空間３４の幅寸法と同じか、それよりも僅かに大きい寸法に設定されている。可動部材４０の厚さ寸法（上下寸法）は、上下両弾性接触片５４が弾性撓みしていない状態における両弾性接触片５４間の最小上下間隔、つまり、上下両接点部５５間の最小上下間隔よりも大きい寸法に設定されている。但し、上下の角筒部間の最小上下寸法よりは小さい寸法である。図４，６に示すように、可動部材４０の前端面４０Ｆ（回路基板６１との対向面）は、基板収容空間３１に対する回路基板６１の挿入方向と直角な平坦面である。図７，８に示すように、可動部材４０の左右両側面における後端部には、一対の係止突部４１が形成されている。
【００２１】
回路基板６１が基板収容空間３１に挿入される前の状態では、可動部材４０は、図１，３，４に示すように、前後方向（基板収容空間３１に対する回路基板６１の挿入方向と平行な方向）において端子金具５０の弾性接触片５４の接点部５５と対応する第１位置で待機する。可動部材４０が第１位置にある状態では、可動部材４０の後端部が退避空間３４の前端部に位置し、可動部材４０の前端側の大部分が基板収容空間３１内に位置する。
【００２２】
図７に示すように、第１位置の可動部材４０は、係止突部４１と第１係止凹部３５との嵌合により、前後方向への自由な移動を規制された状態に保持されている。但し、この係止突部４１と第１係止凹部３５の嵌合は、セミロックロック構造であるから、係止突部４１と第１係止凹部３５の嵌合力を上回る前後方向の外力が可動部材４０に付与されると、可動部材４０は前後方向に移動することができる。
【００２３】
また、可動部材４０は、第１位置から、それよりも後方（基板収容空間３１に対する回路基板６１の挿入方向においては、前方）に設定された第２位置（図５，６，８を参照）へスライドし得るようになっている。図８に示すように、第２位置の可動部材４０は、係止突部４１と第２係止凹部３６との嵌合により、前後方向への自由な移動を規制された状態に保持されている。但し、この係止突部４１と第２係止凹部３６の嵌合は、セミロックロック構造であるから、係止突部４１と第２係止凹部３６の嵌合力を上回る前後方向の外力が可動部材４０に付与されると、可動部材４０は前方へ移動することができる。
【００２４】
＜端子金具５０＞
端子金具５０は、所定形状に打ち抜いた２枚の金属板材を曲げ加工して組み付けることにより、全体として前後方向（端子金具５０の並列方向と直交する方向）に細長い形状に成形されたものである。図１に示すように、端子金具５０の前端側領域は、周知形態の箱部５１となっている。端子金具５０の後端側領域は、周知形態の圧着部５２となっており、圧着部５２には、ワイヤーハーネスを構成する電線５３の前端部が圧着により接続されている。
【００２５】
端子金具５０は、リヤホルダ２０の貫通孔２１と一括ゴム栓１８のシール孔１９を順に通過して、端子収容室２９内に挿入されている。挿入された端子金具５０は、箱部５１の後端をランス１７に係止させることにより、抜止め状態に保持されている。端子金具５０が端子収容室２９に挿入された状態では、箱部５１と弾性接触片５４が前部キャビティ２８内に配置され、圧着部５２が後部キャビティ１６内に配置される。
【００２６】
図４，６に示すように、箱部５１内には、弾性接触片５４が設けられている。弾性接触片５４は、箱部５１を構成する壁部から延出した部分に曲げ加工等を施して形成されたものである。弾性接触片５４には、回路基板６１に対して弾性接触するための接点部５５が形成されている。弾性接触片５４は、弾性撓みしていない自由状態では、少なくとも接点部５５を含む領域を基板収容空間３１内に進出させた状態となる。また、弾性接触片５４は、基板収容空間３１から上方又は下方（つまり、基板収容空間３１に対する回路基板６１の挿入方向と交差する方向）へ退避するように弾性撓み可能となっている。
【００２７】
＜基板側コネクタＰ＞
図２に示すように、基板側コネクタＰは、合成樹脂製の基板側ハウジング６０と、回路基板６１とをモールド成形によって一体化させたものである。基板側ハウジング６０は、全体として、高さ寸法（上下寸法）が幅寸法に比べて小さく設定された扁平な形状をなす。回路基板６１の上下両面（表裏両面）には、電子部品等（図示省略）が実装されているともに、回路が印刷によって形成されている。
【００２８】
回路基板６１のうち基板収容空間３１に対する挿入方向前方の接続端縁部６２は、その上下両面において、端子金具５０の接点部５５に接触するようになっている。回路基板６１のうち接続端縁部６２を除いた大部分の領域は、基板側ハウジング６０内に埋設されている。したがって、接続端縁部６２は、基板側ハウジング６０の正面からハーネス側ハウジング１０側へ突出した状態となっている。図４，６に示すように、回路基板６１の挿入方向前側の端面６１Ｆ（可動部材４０との対向面）は、基板収容空間３１に対する回路基板６１の挿入方向と直角であり、且つ可動部材４０の前端面と平行をなす平坦面である。回路基板６１の接続端縁部６２の厚さ寸法（上下寸法）は、可動部材４０の厚さ寸法よりも僅かに小さい寸法に設定されている。
【００２９】
＜作用及び効果＞
ハーネス側コネクタＨと基板側コネクタＰを嵌合する際には、予め、可動部材４０を第１位置に保持しておく。この状態では、図４に示すように、上下両端子金具５０の弾性接触片５４が、基板収容空間３１から退避する方向（つまり、上段の弾性接触片５４は上方へ、下段の弾性接触片５４は下方へ）へ弾性撓みし、上段側の接点部５５が可動部材４０の上面に対して弾性的に当接するとともに、下段側の接点部５５が可動部材４０の下面に対して弾性的に当接する。この状態において、上側の接点部５５と下側の接点部５５の最小上下間隔は、回路基板６１の接続端縁部６２の厚さ寸法よりも僅かに大きい寸法である。
【００３０】
この状態で、回路基板６１を基板収容空間３１内に挿入するようにして両コネクタＨ，Ｐの嵌合を開始する。嵌合の途中では、図４に示すように、回路基板６１の接続端縁部６２の先端面６１Ｆが、可動部材４０の前端面４０Ｆに対してほぼ面当たり状態で当接する。この状態から、係止突部４１と係止凹部の係止力を上回る操作力を付与して、両コネクタＨ，Ｐの嵌合（基板収容空間３１に対する回路基板６１の挿入）を更に進めると、回路基板６１の接続端縁部６２が、可動部材４０を後方へ押し動かす。つまり、回路基板６１と可動部材４０が、前後の隙間を空けずに一体となってスライドする。
【００３１】
可動部材４０と回路基板６１が一体にスライドする過程では、可動部材４０が接点部５５に対して後方へ遠ざかるように変位するので、可動部材４０の上下両面に弾性的に当接していた接点部５５が、接続端縁部６２の上下両面に乗り移ることになる。ここで、接続端縁部６２の上下寸法は、可動部材４０の上下寸法よりも僅かに小さいので、接点部５５は、可動部材４０から接続端縁部６２に乗り移る時に、接続端縁部６２の先端面における上下の角縁部に接触することはない。接点部５５が接続端縁部６２に乗り移った後は、回路基板６１の挿入動作に伴って、接点部５５が回路基板６１の上面又は下面に摺接する。そして、回路基板６１が正規の挿入状態となり、可動部材４０が第２位置に保持されると、両コネクタＨ，Ｐの嵌合が完了する。
【００３２】
本実施例１のカードエッジコネクタは、ハーネス側ハウジング１０と、ハーネス側ハウジング１０内に形成され、ハーネス側ハウジング１０の前方から回路基板６１を挿入させる基板収容空間３１と、ハーネス側ハウジング１０内に取り付けられた複数の端子金具５０と、端子金具５０に設けられ、基板収容空間３１に挿入された回路基板６１に対し、基板収容空間３１から退避する方向へ弾性撓みした状態で接触可能な弾性接触片５４と、可動部材４０を設けた。可動部材４０は、基板収容空間３１内において弾性接触片５４を基板収容空間３１から退避する上下方向へ弾性撓みさせる第１位置から、第１位置よりも後方であって弾性接触片５４から解離する第２位置への変位が可能となっている。
【００３３】
この構成によれば、可動部材４０が回路基板６１に押し動かされる過程では、弾性接触片５４が、基板収容空間３１から退避する方向へ弾性撓みした状態のまま、可動部材４０から回路基板６１へ乗り移る。したがって、回路基板６１の挿入方向先端縁（接続端縁部６２）は、弾性接触片５４に突き当たったり、弾性接触片５４と強く擦れ合ったりする虞がない。これにより、弾性接触片５４の不正な変形や、端子金具５０の接点部５５のメッキ剥がれや、回路基板６１の削り屑の噛み込み等が防止されるので、端子金具５０と回路基板６１との間の接触信頼性が高い。また、回路基板６１を基板収容空間３１に挿入する際には、弾性接触片５４と回路基板６１との摺動摩擦を低減又は摺動摩擦の発生を回避できるので、作業性にも優れている。
【００３４】
また、本実施例１のカードエッジコネクタは、弾性接触片５４が基板収容空間３１から退避する上下方向における可動部材４０の厚さ寸法が、回路基板６１の板厚寸法よりも大きい寸法に設定されている。したがって、弾性接触片５４が可動部材４０から回路基板６１に乗り移るときに、弾性接触片５４に対する回路基板６１の突き当たりが、確実に回避されている。
【００３５】
＜他の実施例＞
本発明は上記記述及び図面によって説明した実施例に限定されるものではなく、例えば次のような実施例も本発明の技術的範囲に含まれる。
（１）上記実施例では、弾性接触片が基板収容空間から退避する方向における可動部材の厚さ寸法を、回路基板の板厚寸法より大きい寸法に設定したが、可動部材の厚さ寸法は、回路基板の板厚寸法と同じ寸法でもよく、回路基板の板厚寸法より少し小さい寸法でもよい。
（２）上記実施例では、端子金具が、回路基板の上下両面（表裏両面）に挟むように当接するようにしたが、本発明は、端子金具が回路基板の上下いずれか一方の面（表裏いずれか一方の面）のみに接触する場合にも適用できる。
（３）上記実施例では、可動部材の前端面（回路基板との対向面）と、回路基板の挿入方向前側の端面（可動部材との対向面）とを、互いに平行な平坦面としたが、これに限らず、可動部材側と回路基板側のうちいずれか一方の対向面を凸形状とし、他方の対向面を凸形状に嵌合可能な凹形状としてもよい。このようにすれば、弾性接触片が基板収容空間から退避する方向において、回路基板と可動部材を位置決めして相対変位を規制することができる。
【符号の説明】
【００３６】
１０…ハーネス側ハーネス（ハウジング）
３１…基板収容空間
４０…可動部材
５０…端子金具
５４…弾性接触片
６１…回路基板
【図１】
2014203634.tif 000003
【図２】
2014203634.tif 000004
【図３】
2014203634.tif 000005
【図４】
2014203634.tif 000006
【図５】
2014203634.tif 000007
【図６】
2014203634.tif 000008
【図７】
2014203634.tif 000009
【図８】
2014203634.tif 000010